(57)【要約】  本発明は、マルチスクリーンサービスコンテンツ配信システム内で対話型マルチスクリーンサービスコンテンツを配信するための方法、ならびに、その方法を実施するためのサーバおよびユーザ端末に関する。本発明の実施形態によれば、サーバからマルチスクリーンコンテンツ配信システム内の複数のユーザ端末に同時にマルチスクリーンコンテンツを配信する方法は、サーバから複数のユーザ端末に対話型メディアドキュメントを提供するステップであって、対話型メディアドキュメントが、マルチスクリーンコンテンツの識別情報、および、マルチスクリーンコンテンツを再生またはダウンロードするための複数の時間選択肢を含む、提供するステップ、ならびに、サーバが、複数のユーザにより選択された時間選択肢を収集し、ブロードキャスト／マルチキャスト技法が、ネットワーク利用の効率を向上させるために、複数のユーザへの同時のビデオコンテンツ配信のために可能な限り多く使用されるように、選択された時間選択肢によってマルチスクリーンコンテンツをマルチキャストまたはブロードキャストするステップを含む。
2014522587.tif 000002
【特許請求の範囲】
【請求項１】
サーバからマルチスクリーンコンテンツ配信システム内の複数のユーザ端末に同時にマルチスクリーンコンテンツを配信する方法であって、
サーバから複数のユーザ端末に対話型メディアドキュメントを提供するステップであって、対話型メディアドキュメントが、マルチスクリーンコンテンツの識別情報、および、マルチスクリーンコンテンツを再生またはダウンロードするための複数の時間選択肢を含む、提供するステップ、ならびに、
サーバが、複数のユーザにより選択された時間選択肢を収集し、選択された時間選択肢によってマルチスクリーンコンテンツをマルチキャストまたはブロードキャストするステップ
を含む、方法。
【請求項２】
複数の時間選択肢が、マルチスクリーンコンテンツ配信システムのアイドル期間内の少なくとも１つの時間選択肢を含む、請求項１に記載の方法。
【請求項３】
異なる複数の課金基準を異なる複数の時間選択肢に対して設定するステップであって、マルチスクリーンコンテンツ配信システムのアイドル期間内の時間選択肢に対して、マルチスクリーンコンテンツ配信システムのビジー期間内の時間選択肢に対してより、より少ない料金が課金されるステップをさらに含む、請求項２に記載の方法。
【請求項４】
対話型メディアドキュメントが、マルチスクリーンコンテンツを再生またはダウンロードするための複数の端末タイプをさらに含む、請求項１から３のいずれか一項に記載の方法。
【請求項５】
対話型メディアドキュメントが、以下のもの、すなわち、ＯＭＡプロトコル時間割テンプレート、ＳＩＰプロトコル時間割テンプレート、ＳＭＳ時間割テンプレート、および対応するマルチスクリーンサービスウェブサイト／ＷＡＰサイトまたはウェブリンク／ＷＡＰリンクのうちの１つを含む、請求項１から３のいずれか一項に記載の方法。
【請求項６】
マルチスクリーンコンテンツ配信システム内のサーバであって、
複数のユーザ端末に対話型メディアドキュメントを提供するための手段であり、対話型メディアドキュメントが、マルチスクリーンコンテンツの識別情報、および、マルチスクリーンコンテンツを再生またはダウンロードするための複数の時間選択肢を含む、提供するための手段、ならびに、
複数のユーザにより選択された時間選択肢を収集し、選択された時間選択肢によってマルチスクリーンコンテンツをマルチキャストまたはブロードキャストするための手段
を備える、サーバ。
【請求項７】
異なる複数の課金基準を異なる複数の時間選択肢に対して設定するための手段であり、マルチスクリーンコンテンツ配信システムのアイドル期間内の時間選択肢に対して、マルチスクリーンコンテンツ配信システムのビジー期間内の時間選択肢に対してより、より少ない料金が課金される手段をさらに備える、請求項６に記載のサーバ。
【請求項８】
マルチスクリーンコンテンツ配信システム内のユーザ端末からサーバに対話型情報を配信する方法であって、
ユーザ端末が、サーバから対話型メディアドキュメントを受信するステップであり、対話型メディアドキュメントが、マルチスクリーンコンテンツの識別情報、および、マルチスクリーンコンテンツを再生またはダウンロードするための複数の時間選択肢を含む、受信するステップ、ならびに、
ユーザ端末が、複数の時間選択肢から１つの時間選択肢を選択し、その時間選択肢を、選択された時間選択肢によってサーバがマルチスクリーンコンテンツをマルチキャストまたはブロードキャストするようにサーバに提供するステップ
を含む、方法。
【請求項９】
複数の時間選択肢が、マルチスクリーンコンテンツ配信システムのアイドル期間内の少なくとも１つの時間選択肢を含む、請求項８に記載の方法。
【請求項１０】
対話型メディアドキュメントが、マルチスクリーンコンテンツを再生またはダウンロードするための複数の端末タイプをさらに含む、請求項８または９に記載の方法。
【請求項１１】
対話型メディアドキュメントが、以下のもの、すなわち、ＯＭＡプロトコル時間割テンプレート、ＳＩＰプロトコル時間割テンプレート、ＳＭＳ時間割テンプレート、および対応するマルチスクリーンサービスウェブサイト／ＷＡＰサイトまたはウェブリンク／ＷＡＰリンクのうちの１つを含む、請求項８または９に記載の方法。
【請求項１２】
マルチスクリーンコンテンツ配信システム内のユーザ端末であって、
マルチスクリーンコンテンツ配信システムのサーバから対話型メディアドキュメントを受信するための手段であり、対話型メディアドキュメントが、マルチスクリーンコンテンツの識別情報、および、マルチスクリーンコンテンツを再生またはダウンロードするための複数の時間選択肢を含む、受信するための手段、ならびに、
複数の時間選択肢から１つの時間選択肢を選択し、その時間選択肢を、選択された時間選択肢によってサーバがマルチスクリーンコンテンツをマルチキャストまたはブロードキャストするようにサーバに提供するための手段
を備える、ユーザ端末。
【発明の詳細な説明】
【技術分野】
【０００１】
本発明は、マルチスクリーンサービスコンテンツ配信システムに関し、詳細には、マルチスクリーンサービスコンテンツ配信システム内で対話型マルチスクリーンサービスコンテンツを配信するための方法、ならびに、その方法を実施するためのサーバおよびユーザ端末に関する。
【背景技術】
【０００２】
複数の指標が、マルチスクリーン（携帯電話、ＰＣ、およびＴＶ）コンテンツ配信が通信事業者およびサービスプロバイダにとって次の広帯域サービスの大きな流れになるであろうことを予言している。
【０００３】
しかしながらＨＤ（高精細）ビデオコンテンツのオンライン再生は大きな難題であり、セルラーネットワーク、インターネット、ＩＰネットワークなどの関係付けられた配信ネットワークの帯域幅は、依然としてマルチスクリーンコンテンツ配信システムのボトルネックである。特にその帯域幅は、多数のマルチスクリーンユーザが巨大なマルチスクリーンビデオコンテンツドキュメント（例えばマルチメディア映画）配信を同時に必要とするとき、深刻なネットワーク輻輳を引き起こすことになる。
【０００４】
発明者は、上記の難題に対処するための２つの態様が存在すると考えている。
【０００５】
第１に、ブロードキャストおよびマルチキャスト、例えばＩＰＴＶネットワークでのＩＰマルチキャストおよび３Ｇセルラー通信ネットワークでのＭＢＭＳ（マルチメディアブロードキャストおよびマルチキャスト）は、ネットワーク帯域幅を利用する効率がユニキャストよりはるかに高い。したがって可能な限り多くブロードキャストおよびマルチキャストを使用するために、いくつかの固定された開始時間に（例えば１８：００、１９：００、２０：００、２１：００に開始する）自分のマルチスクリーンコンテンツを観るようにユーザに対して勧奨するように機構が設計される場合がある。
【０００６】
第２に、各々の日のある期間、例えば午前１：００から午前６：００の間、ネットワークは比較的アイドル状態にある。したがってマルチスクリーンコンテンツ（典型的には例えば１つの映画）が上記のアイドル時間の間に伝送され得るならば、そのことはマルチスクリーン配信ネットワークに対して最小の負荷をもたらすことになり、帯域幅の資源が最高の効率で利用され得る。実際一部のユーザは、自分がマルチスクリーンコンテンツをいつ受信可能であるかについて気にしない。したがって、ダウンロードタイプのユーザに対してアイドル時間に自分のマルチスクリーンコンテンツをダウンロードするように勧奨するように機構が設計される場合がある。
【０００７】
現在は、マルチスクリーンユーザに、マルチスクリーンサービスプロバイダのコンテンツ再生予定に積極的に協力させ、かつ従わせるための方法が不足しており、マルチスクリーンユーザに対する勧奨機構が何も存在しない、すなわち、アイドル時間にマルチスクリーンコンテンツを積極的にダウンロードするユーザは、何の現実の利益も得ることができない。同時に、マルチスクリーンユーザと対話するための１つの既存の方法は、ショートメッセージＳＭＳを送出かつ受信することである。しかしながら、マルチスクリーンユーザのフィードバックを反映するための統一されたＳＭＳフォーマットが不足している。さらに重要なことには、ＳＭＳの待ち時間はかなり長く、待ち時間は頻繁に変動する。したがってサーバは、ユーザのＳＭＳコマンドに適時に応答することが可能ではなく、サーバと対話するというユーザの感覚も希薄である。
【発明の概要】
【発明が解決しようとする課題】
【０００８】
本発明は、ＯＭＡ（オープンモバイルアライアンス）対話性機構およびユーザフィードバックに基づくマルチスクリーンコンテンツ配信システムを提供する。本発明の目的は、通信事業者の、またはマルチスクリーンサービスプロバイダのコンテンツ再生予定に積極的に協力する、または従うようにユーザに対して勧奨かつ誘導するための対話型機構を確立することである。したがって、マルチスクリーンサービスの帯域幅のボトルネックは大きく改善され得る。
【課題を解決するための手段】
【０００９】
一方で本発明は、サーバからマルチスクリーンコンテンツ配信システム内の複数のユーザ端末に同時にマルチスクリーンコンテンツを配信する方法であって、サーバから複数のユーザ端末に対話型メディアドキュメントを提供するステップであり、対話型メディアドキュメントが、マルチスクリーンコンテンツの識別情報、および、マルチスクリーンコンテンツを再生またはダウンロードするための複数の時間選択肢を含むステップ、ならびに、サーバが、複数のユーザにより選択された時間選択肢を収集し、選択された時間選択肢によってマルチスクリーンコンテンツをマルチキャストまたはブロードキャストするステップを含む方法を提供する。
【００１０】
さらに本発明は、マルチスクリーンコンテンツ配信システム内のサーバであって、複数のユーザ端末に対話型メディアドキュメントを提供するための手段であり、対話型メディアドキュメントが、マルチスクリーンコンテンツの識別情報、および、マルチスクリーンコンテンツを再生またはダウンロードするための複数の時間選択肢を含む手段、ならびに、複数のユーザにより選択された時間選択肢を収集し、選択された時間選択肢によってマルチスクリーンコンテンツをマルチキャストまたはブロードキャストするための手段を備えるサーバを提供する。
【００１１】
他方で本発明は、マルチスクリーンコンテンツ配信システム内のユーザ端末からサーバに対話型情報を配信する方法であって、ユーザ端末が、サーバから対話型メディアドキュメントを受信するステップであり、対話型メディアドキュメントが、マルチスクリーンコンテンツの識別情報、および、マルチスクリーンコンテンツを再生またはダウンロードするための複数の時間選択肢を含むステップ、ならびに、ユーザ端末が、複数の時間選択肢から１つの時間選択肢を選択し、その時間選択肢を、選択された時間選択肢によってサーバがマルチスクリーンコンテンツをマルチキャストまたはブロードキャストするようにサーバに提供するステップを含む方法を提供する。
【００１２】
本発明は、マルチスクリーンコンテンツ配信システム内のユーザ端末であって、マルチスクリーンコンテンツ配信システムのサーバから対話型メディアドキュメントを受信するための手段であって、対話型メディアドキュメントが、マルチスクリーンコンテンツの識別情報、および、マルチスクリーンコンテンツを再生またはダウンロードするための複数の時間選択肢を含む手段、ならびに、複数の時間選択肢から１つの時間選択肢を選択し、その時間選択肢を、選択された時間選択肢によってサーバがマルチスクリーンコンテンツをマルチキャストまたはブロードキャストするようにサーバに提供するための手段を備えるユーザ端末にさらに関する。
【００１３】
当然ながら各々のマルチスクリーンサービスユーザは、マルチスクリーンサービスプロバイダに自分自身の所望するビデオコンテンツ再生時間を送出することがさらに可能であり、マルチスクリーンサービスプロバイダは、収集されたユーザにより所望されるビデオ再生時間によって元の選択肢以外で再生されるビデオコンテンツの時間の数を合計し、最も多くのユーザが望む時間によって再生開始時間を選択し、統一された再生時間を計画し、新しく加えられた再生時間を前もってユーザに通知することが可能である。本発明の実施形態によれば、複数の時間選択肢は、マルチスクリーンコンテンツ配信システムのアイドル期間内の少なくとも１つの時間選択肢を含む。
【００１４】
本発明の実施形態によれば、異なる複数の課金基準が異なる複数の時間選択肢に対して設定され、マルチスクリーンコンテンツ配信システムのアイドル期間内の時間選択肢に対して、マルチスクリーンコンテンツ配信システムのビジー期間内の時間選択肢に対してよりも少ない料金が課金される。
【００１５】
本発明の実施形態によれば、対話型メディアドキュメントは、マルチスクリーンコンテンツを再生またはダウンロードするための複数の端末タイプをさらに含む。
【００１６】
本発明の実施形態によれば、対話型メディアドキュメントは、以下のもの、すなわち、ＯＭＡプロトコル時間割テンプレート、ＳＩＰプロトコル時間割テンプレート、ＳＭＳ時間割テンプレート、および対応するマルチスクリーンサービスウェブサイト／ＷＡＰサイトまたはウェブリンク／ＷＡＰリンクのうちの１つを含む。
【００１７】
一方でビデオコンテンツオンデマンド（ＶｏＤ）タイプのユーザに対しては、このマルチスクリーンコンテンツ配信システムは、いくつかの固定された時間期間に（例えば１８：００、１９：００、２０：００、２１：００に始まる）自分のマルチスクリーンコンテンツを観視するようにＶｏＤタイプのユーザに対して勧奨する。したがってサービスプロバイダは、マルチキャストまたはブロードキャストの技法を使用して、上記の固定された時間期間に（例えば１８：００、１９：００、２０：００、２１：００に始まる）対応するマルチスクリーンコンテンツを配信することが可能である。実際の使用では、より低い価格およびより高いスコアがこれらのＶｏＤユーザに与えられ得る。当然ながらこの新しいシステムは、ユーザが自分の好む映画を直ちに再生することを可能にする選択肢をさらにサポートする。この場合、価格は最も高くスコアは最も低い。
【００１８】
他方でダウンロードタイプのユーザに対しては、この新しいマルチスクリーンコンテンツ配信システムは、マルチスクリーンコンテンツ配信システムのアイドル時間（例えば午前１：００−午前６：００）にダウンロード動作を自動的に遂行するようにダウンロードタイプのユーザに対して勧奨する。したがってサービスプロバイダは、上記で述べられたアイドル時間（例えば午前１：００−午前６：００）にユーザの対応する端末に対応するマルチスクリーンビデオコンテンツをプッシュすることが可能である。サービスプロバイダは、午前１：００−午前６：００の間のネットワークの最もアイドル状態である時期を選択し、マルチキャスト技法を使用して、同じビデオコンテンツをダウンロードすることを望むユーザに同時にビデオコンテンツをプッシュすることがさらに可能であり、この時間ではネットワーク利用が、事業者およびサービスプロバイダにとって最も効率的であり最も有益であることは明らかである。この場合、要求時間に関して積極的に協力するようにユーザに対して誘引かつ勧奨するために、価格は非常に低い一方でスコアは非常に高く、当然ながらこの新しいシステムは、ユーザが自分の好む映画を直ちにダウンロードすることを可能にする選択肢をさらにサポートする。この場合、価格は最も高くスコアは最も低い。
【００１９】
実際には具体的な勧奨措置は、マルチスクリーンユーザに対する料金の割引または内部スコア（例えば累積の１０００スコアで無料の映画をダウンロードすることが可能である）であり得る。当然ながらサービスプロバイダは他の勧奨措置をさらに想像することが可能であるが、その勧奨措置は、考察される本発明の範囲には属さない。
【００２０】
既存のマルチスクリーンサービスコンテンツ配信機構と比較されると、本発明は以下の利点をもたらす。
【００２１】
第１に本発明は、サービスプロバイダの予定に積極的に従うようにユーザに対して勧奨かつ誘導するためのまったく新しい方法を提案する。一部の高精細映画が通常は３ＧＢ以上の大きさのサイズを有することは、当業者にはよく知られている。したがって各々のマルチスクリーンユーザが無作為の時間にオンラインの再生またはダウンロードを遂行するならば、ネットワークおよびマルチスクリーンサーバは輻輳状態に悪化し、崩壊することにもなる。本発明の方法を使用すると、可能な限り多くのマルチスクリーンユーザが（それらのあらかじめ規定された時点で）ブロードキャスト／マルチキャスト配信方法を積極的に受け入れることが可能であり、より多くのユーザが、ネットワークのアイドル時間に映画などのマルチスクリーンコンテンツをダウンロードすることになる。したがってこの方法は、帯域幅利用の効率が最も高く、および輻輳の危険性が最も小さい。
【００２２】
第２に本発明は、マルチスクリーンユーザの再生／ダウンロード時間要件に関して収集および応答を行うための、１組の統一されたコマンドおよびメッセージフォーマット（ＯＭＡ互換）または統一されたウェブページ／ＷＡＰページを提供する。この新しい通知および対話の機構を使用すると、事業者またはサービスプロバイダは、すべてのマルチスクリーンユーザの再生／ダウンロード時間要件に関して効果的に収集および応答を行うことが可能である。ブロードキャスト／マルチキャスト技法が、ネットワーク利用の効率を向上させるために、複数のユーザへの同時のビデオコンテンツ配信のために可能な限り多く使用される。
【００２３】
第３に本方法を使用すると、マルチスクリーンサービスに関するサービスプロバイダは、サービスプロバイダの競争力を向上させるために、柔軟な価格方針およびコンテンツ予定機構のセットを準備することが可能である。一方でこの新しいシステムは、ユーザが自分の好む映画を直ちにダウンロードまたは再生することを可能にする選択肢をサポートする。この場合、価格は最も高く内部スコアは最も低い。他方でユーザが、（例えばあらかじめ規定された時点でマルチスクリーンコンテンツを観視するために）マルチスクリーンサービスプロバイダの予定に従うことになるならば、そしてこの場合、価格は非常に低く、ユーザはより高いスコアを得ることが可能である。
【００２４】
本発明の例示的な実施形態が、図面を参照して下記で説明されることになる。図面では、同じまたは同様の技術的特徴が同じ参照符号により表示される。
【図面の簡単な説明】
【００２５】
【図１】本発明による対話型メディアドキュメントの概略図である。
【図２】本発明の実施形態でのユーザフィードバックを収集するためのウェブページ／ＷＡＰページの概略図である。
【図３】本発明の実施形態を実施するための方法フローチャートである。
【発明を実施するための形態】
【００２６】
図１は、本発明による対話型メディアドキュメントの概略図である。すべてのユーザに通知するためにマルチスクリーンサービスプロバイダは、ブロードキャストまたはマルチキャストの機構を使用して、１つのＯＭＡ対話型メディアドキュメントを含む１つのマルチスクリーンガイドを各々のマルチスクリーンユーザに送出する。本発明の好ましい実施形態によれば図１では、マルチスクリーンサービスガイド１０１は、対話型データの一部として対話型メディアドキュメント１０２を含む。ＯＭＡ対話型メディアドキュメントは、勧奨措置、スコア方針、および対応するマルチスクリーンビデオのコンテンツ再生予定情報（時間割）のすべてをさらに含む。さらに勧奨措置、スコア方針、および対応するマルチスクリーンビデオのコンテンツ予定情報（時間割）のすべては、マルチスクリーンサービスウェブサイト上で示されることになり、マルチスクリーンユーザは、自分のＰＣを使用することにより関係付けられた情報を知ることが可能である。さらにＩＰＴＶポータルを介してマルチスクリーンユーザは、自分のＩＰＴＶ  ＳＴＢ（セットトップボックス）およびＴＶリモートコントローラを使用することにより関係付けられた情報を知ることがさらに可能である。
【００２７】
このＯＭＡ対話型メディアドキュメントは、特定のＯＭＡ／ＳＩＰ／ＳＭＳ時間割テンプレートをさらに含み、対応するマルチスクリーンコンテンツウェブページ／ＷＡＰページのリンクを、すなわち、図１に示されるＯＭＡプロトコル時間割テンプレート１０３、ＳＩＰプロトコル時間割テンプレート１０４、ＳＭＳプロトコル時間割テンプレート１０５、および対応するマルチスクリーンサービスウェブサイト／ＷＡＰサイトまたはウェブリンク／ＷＡＰリンク１０６をさらに含み得る。
【００２８】
したがって、ユーザがＯＭＡ対話型メディアドキュメントまたはＳＩＰ／ＳＭＳコマンドまたはウェブリンクを使用しようとも、そのユーザは、自分の再生時間またはダウンロード時間をマルチスクリーンコンテンツ配信システムの対話型サーバに容易にフィードバックすることが可能である。例えば好ましい再生またはダウンロードの時間（あらかじめ規定された時間選択肢）が、時間割テンプレート内にユーザにより記入されることになる。
【００２９】
図２は、本発明の実施形態でのユーザフィードバックを収集するためのウェブページ／ＷＡＰページの概略図である。マルチスクリーンユーザが自分のＰＣを使用することによりマルチスクリーンサービスウェブサイトにログインすると、ＶｏＤタイプのマルチスクリーンユーザは、いくつかのあらかじめ規定された時間選択肢（例えば１８：００、１９：００、２０：００、２１：００）から自分の好むコンテンツ再生時間を選択かつ送信（ｓｕｂｍｉｔ）することが可能である。さらにダウンロードタイプのマルチスクリーンユーザは、マルチスクリーンコンテンツが完全にダウンロードされる自分の期限を送信することが可能である。したがってサービスプロバイダは、アイドル時間を利用して、対応するマルチスクリーンコンテンツを期限前に配信することが可能である。典型的にはダウンロードは、午前１：００−午前６：００の間に自動的に遂行される。当然ながらユーザは、映画を観視またはダウンロードするために使用されることになる好ましい再生／ダウンロード端末を選択し、選択された再生／ダウンロード端末を同じウェブページ／ＷＡＰページで同時に送信することが可能である。
【００３０】
さらに本発明の実施形態では、マルチスクリーンユーザが、自分のＩＰＴＶ  ＳＴＢ（セットトップボックス）およびＴＶリモートコントローラを使用することによりマルチスクリーンサービスＩＰＴＶポータルにログインすると想定すると、ＶｏＤタイプのマルチスクリーンユーザは、いくつかのあらかじめ規定された時間選択肢（例えば１８：００、１９：００、２０：００、２１：００）から自分の好むコンテンツ再生時間を選択かつ送信することが可能である。さらにダウンロードタイプのマルチスクリーンユーザは、マルチスクリーンコンテンツが完全にダウンロードされる自分の期限を送信することが可能である。したがってサービスプロバイダは、アイドル時間を利用して、対応するマルチスクリーンコンテンツを期限前に配信することが可能である。典型的にはダウンロードは、午前１：００−午前６：００の間に自動的に遂行される。当然ながらユーザは、映画を観視またはダウンロードするために使用されることになる好ましい再生／ダウンロード端末を選択し、選択された再生／ダウンロード端末を同じウェブページ／ＷＡＰページで同時に送信することが可能である。
【００３１】
図３は、本発明の実施形態を実行するための方法フローチャートである。
【００３２】
本発明の実施形態によれば、マルチスクリーンコンテンツ配信システム内の対話型サーバは、ステップ３０１に示されるように、マルチスクリーンユーザ端末にマルチスクリーンサービスガイドを提供する。マルチスクリーンサービスガイドは、例えばＯＭＡ対話型メディアドキュメントを含み得るものであり、ＯＭＡ対話型メディアドキュメントは、特定のＯＭＡ／ＳＩＰ／ＳＭＳ時間割テンプレートをさらに含み、図１に示されるＯＭＡプロトコル時間割テンプレート１０３、ＳＩＰプロトコル時間割テンプレート１０４、ＳＭＳ予定テンプレート１０５、および対応するマルチスクリーンサービスウェブサイト／ＷＡＰサイトまたはウェブリンク／ＷＡＰリンク１０６などのような、対応するマルチスクリーンコンテンツウェブページ／ＷＡＰページのリンクをさらに含み得る。
【００３３】
ステップ３０２ではマルチスクリーンユーザは、対話型メディアドキュメントにより提供される時間割によって自分自身の好む選択肢を、および端末選択肢を選択し、対応する選択肢を送信する。ＶｏＤユーザに対する、図２に示されるようなユーザフィードバックを収集するためのウェブページ／ＷＡＰページの例により、例えば「予約時間４：午後９：００に再生を開始する」が選択される場合があり、この場合のオンデマンド価格は、例えば各々の回で１ドルである場合があり、一方でユーザスコアが５０である場合がある。支援用の選択肢として、対話型メディアドキュメントは再生端末を選択することがさらに可能であり、ＶｏＤユーザは、予約再生端末としてＴＶ、ＰＣ、および携帯電話のうちのいずれか１つを選択することが可能である。例えばＶｏＤユーザは、再生端末としてＰＣを選択することが可能である。
【００３４】
ステップ３０３では対話型サーバは、ユーザの選択肢を収集し、予約時間および端末の選択肢によってマルチスクリーンユーザにマルチスクリーンコンテンツを配信する。複数のユーザが、２１：００に同じ映画を再生するように予約していたならば、対話型サーバは、上記の予約時間によって、すなわち２１：００に、マルチキャストまたはブロードキャストさえも使用することにより複数のユーザに、オンデマンドのマルチスクリーンコンテンツを配信することになる。当然ながら異なるユーザの再生端末要件によって、対応するコンテンツは、それぞれのユーザにより設定される再生端末に対して再生される。
【００３５】
ダウンロードタイプのユーザに対する、図２に示されるようなユーザフィードバックを収集するためのウェブページ／ＷＡＰページの例により、例えば「予約時間４：翌朝午前８：００前にダウンロードを完了する」が選択される場合がある。ネットワークのアイドル時間に必要とされるマルチスクリーンコンテンツをダウンロードするようにユーザに対して勧奨するために、この場合のオンデマンド価格は、例えば１ドルである場合があり、一方でユーザスコアが１００である場合がある。支援用の選択肢として、対話型メディアドキュメントはダウンロード端末を選択することがさらに可能であり、ＶｏＤユーザは、予約ダウンロード端末としてＴＶ、ＰＣ、および携帯電話のうちのいずれか１つを選択することが可能である。
【００３６】
ステップ３０３では対話型サーバは、ユーザの選択肢を収集し、予約ダウンロード時間および端末の選択肢によってマルチスクリーンユーザにマルチスクリーンコンテンツを配信する。複数のユーザが、翌朝午前８：００前に同じマルチスクリーンコンテンツのダウンロードを完了するように予約していたならば、対話型サーバは、上記の予約時間によって、すなわち翌朝午前８：００前に、複数のユーザに、ユーザにより必要とされるマルチスクリーンコンテンツをプッシュすることになる。当然ながら異なるユーザの再生端末要件によって、対応するコンテンツは、それぞれのユーザにより設定されるダウンロード端末に対してダウンロードされる。
【００３７】
本発明では対話型サーバおよびユーザ端末は、ハードウェアおよびソフトウェアの組み合わせによって実施され得る。
【００３８】
本発明の実施形態によれば、対話型サーバは、複数のユーザ端末に対話型メディアドキュメントを提供するための手段、および、複数のユーザにより選択された時間選択肢を収集し、選択された選択肢によってマルチスクリーンコンテンツをマルチキャストまたはブロードキャストするための手段を備え、対話型メディアドキュメントは、マルチスクリーンコンテンツの識別情報、および、マルチスクリーンコンテンツを再生またはダウンロードするための複数の時間選択肢を含む。
【００３９】
本発明の実施形態によれば、ユーザ端末は、マルチスクリーンコンテンツ配信システム内のサーバから対話型メディアドキュメントを受信するための手段、および、複数の時間選択肢から１つの時間選択肢を選択し、その時間選択肢を、選択された時間選択肢によってサーバがマルチスクリーンコンテンツをマルチキャストまたはブロードキャストするようにサーバに提供するための手段を含み、対話型メディアドキュメントは、マルチスクリーンコンテンツの識別情報、および、マルチスクリーンコンテンツを再生またはダウンロードするための複数の時間選択肢を含む。上記で述べられた手段はコンピュータソフトウェアモジュールにより実施され得るものであり、当業者がこれらの手段を実施することは特に困難ではない。
【００４０】
マルチスクリーンユーザに選択可能な対話型メディアドキュメントを提供し、ユーザフィードバックを収集することにより、対話型サーバが、マルチキャストまたはブロードキャストの技法を使用することによりマルチスクリーンユーザにオンデマンドの、またはダウンロードされるマルチスクリーンコンテンツを提供することが可能であることは明白である。好ましくは、サービスプロバイダは、マルチスクリーン配信システムの帯域幅のボトルネックを効果的に解決し、ネットワーク利用を向上させるために、価格という手段を使用することにより、ネットワークのアイドル時間に所望されるマルチスクリーンコンテンツを観視またはダウンロードするようにマルチスクリーンユーザに対して勧奨することが可能である。
【００４１】
実際の用途ではマルチスクリーンサービスプロバイダは、固定された時間に自分のマルチスクリーンコンテンツを観視するようにＶｏＤタイプのユーザに対して勧奨するために、および、ダウンロードタイプのユーザに対してアイドル時間に自分の所望するマルチスクリーンコンテンツをダウンロードするように勧奨するために、マルチスクリーンユーザに対する料金の割引または内部スコア（例えば累積の１０００スコアで無料の映画をダウンロードすることが可能である）などの、本発明の対話型コンテンツ配信機構に基づく対応する勧奨措置を展開することが可能である。このようにして、マルチスクリーンサービスの帯域幅のボトルネックは大きく改善され得る。当業者は、図面を参照した上記の説明が、本発明の範囲を限定するためのものではなく例示のものであることを理解するはずである。当業者は、添付される特許請求の範囲により定義される本発明の趣旨および範囲の範囲内で、様々な修正および変形を考案することが可能である。
【図１】
2014522587.tif 000003
【図２】
2014522587.tif 000004
【図３】
2014522587.tif 000005
【国際調査報告】
2014522587.tif 000006
2014522587.tif 000007